(57)【特許請求の範囲】
【請求項１】
放送素材を収録し、送出するビデオオーディオサーバと、
前記ビデオオーディオサーバの前記放送素材を外部へ送出するための信号送出系に接続された、前記放送素材の映像レベル、音声レベル及び画角を調整する第１の映像音声レベル可変装置と、
前記ビデオオーディオサーバの前記放送素材をモニタするためのモニタ系に接続された、前記放送素材の映像レベル、音声レベル及び画角を調整する第２の映像音声レベル可変装置と、
前記第２の映像音声レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の映像音声レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の映像音声レベル可変装置から出力される信号の映像レベル、音声レベル及び画角を調整するサーバコントローラと、
を有する映像音声ファイルシステム。
【請求項２】
放送素材の音声レベルを調整する、前記放送素材を外部へ送出するための信号出力系に挿入された第１の音声レベル可変部及び前記放送素材をモニタするためのモニタ系に挿入された第２の音声レベル可変部を備えた、前記放送素材を収録し、送出するビデオオーディオサーバと、
前記ビデオオーディオサーバの前記信号出力系に接続された、前記放送素材の映像レベル及び画角を調整する第１の映像レベル可変装置と、
前記ビデオオーディオサーバの前記モニタ系に接続された、前記放送素材の映像レベル及び画角を調整する第２の映像レベル可変装置と、
前記第２の音声レベル可変部及び前記第２の映像レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の映像レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の映像レベル可変装置から出力される信号の映像レベル、音声レベル及び画角を調整するサーバコントローラと、
を有する映像音声ファイルシステム。
【請求項３】
放送素材の映像レベル及び画角を調整する、前記放送素材を外部へ送出するための信号出力系に挿入された第１の映像レベル可変部及び前記放送素材をモニタするためのモニタ系に挿入された第２の映像レベル可変部を備えた、前記放送素材を収録し、送出するビデオオーディオサーバと、
前記ビデオオーディオサーバの前記信号出力系に接続された、前記放送素材の音声レベルを調整する第１の音声レベル可変装置と、
前記ビデオオーディオサーバの前記モニタ系に接続された、前記放送素材の音声レベルを調整する第２の音声レベル可変装置と、
前記第２の映像レベル可変部及び前記第２の音声レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の音声レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の音声レベル可変装置から出力される信号の映像レベル、音声レベル及び画角を調整するサーバコントローラと、
を有する映像音声ファイルシステム。
【発明の詳細な説明】
【技術分野】
【０００１】
本発明は放送素材である放送番組やコマーシャルフィルム等の映像音声信号を収録・送出する映像音声ファイルシステムに関する。
【背景技術】
【０００２】
従来の放送局等で用いられる映像音声信号を収録・再生するための映像音声ファイルシステムとしては、例えば特許文献１に記載された構成が知られている。
【０００３】
この映像音声ファイルシステムでは、放送素材を収録・再生するビデオオーディオサーバから出力された映像音声信号を次段システムへ送出するとき、送出する映像信号または音声信号のレベルが適正でない場合はそれらを所定のレベルに調整する必要がある。
【０００４】
しかしながら特許文献１に記載された映像音声ファイルシステムでは、放送素材の映像や音声レベルを修正した後、ビデオオーディオサーバへ再び収録しなければならないため、放送素材の再生時間が長い場合は、ビデオオーディオサーバへの再収録に時間を要することになり、運用者の負担が大きいという問題がある。
【０００５】
そこで、特許文献２では、ビデオオーディオサーバから出力された映像音声信号を調整する映像・音声信号調整器及びビデオオーディオサーバを制御するための制御機器を備え、ビデオオーディオサーバから出力する映像音声信号を所定のレベルに調整するための調整値を制御機器で記憶しておき、ビデオオーディオサーバから出力された映像音声信号を、制御機器に記憶された調整値にしたがって映像・音声信号調整器にて所定のレベルに調整する構成が提案されている。なお、次段システムとは、例えば番組送出の最終操作を行う主調整室内に設置されたマスタシステム等を指す。
【特許文献１】特開２０００−２８５６４９号公報
【特許文献２】特開２００５−７９７４５号公報
【発明の開示】
【発明が解決しようとする課題】
【０００６】
上述したように特許文献１に記載された従来の映像音声ファイルシステムでは、送出する映像信号または音声信号のレベルが適正でない場合に、それらを所定のレベルに修正してビデオオーディオサーバに再び収録しなければならないため、運用者の負担が大きいという問題がある。
【０００７】
また、特許文献２に記載の映像音声ファイルシステムは、レベル修正後の映像・音声信号をビデオオーディオサーバに再収録する必要はないが、例えば周知のＳＤ（Standard Definition ）方式やＨＤ（High Definition ）方式のように近年の放送素材の映像フォーマットは多様化しているため、放送素材の映像フォーマットにより次段システムへ送出する映像の画角が適正でない場合に調整することができないという問題がある。
【０００８】
本発明は上記したような従来の技術が有する問題点を解決するためになされたものであり、映像や音声のレベル修正あるいは画角の修正に伴う放送素材のビデオオーディオサーバへの再収録を不要な映像音声ファイルシステムを提供することを目的とする。
【課題を解決するための手段】
【０００９】
上記目的を達成するため本発明の映像音声ファイルシステムは、放送素材を収録し、送出するビデオオーディオサーバと、
前記ビデオオーディオサーバの前記放送素材を外部へ送出するための信号送出系に接続された、前記放送素材の映像レベル、音声レベル及び画角を調整する第１の映像音声レベル可変装置と、
前記ビデオオーディオサーバの前記放送素材をモニタするためのモニタ系に接続された、前記放送素材の映像レベル、音声レベル及び画角を調整する第２の映像音声レベル可変装置と、
前記第２の映像音声レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の映像音声レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の映像音声レベル可変装置から出力される信号の映像レベル、音声レベル及び画角を調整するサーバコントローラと、
を有する。
【００１０】
または、放送素材の音声レベルを調整する、前記放送素材を外部へ送出するための信号出力系に挿入された第１の音声レベル可変部及び前記放送素材をモニタするためのモニタ系に挿入された第２の音声レベル可変部を備えた、前記放送素材を収録し、送出するビデオオーディオサーバと、
前記ビデオオーディオサーバの前記信号出力系に接続された、前記放送素材の映像レベル及び画角を調整する第１の映像レベル可変装置と、
前記ビデオオーディオサーバの前記モニタ系に接続された、前記放送素材の映像レベル及び画角を調整する第２の映像レベル可変装置と、
前記第２の音声レベル可変部及び前記第２の映像レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の映像レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の映像レベル可変装置から出力される信号の映像レベル、音声レベル及び画角を調整するサーバコントローラと、
を有する。
【００１１】
または、放送素材の映像レベル及び画角を調整する、前記放送素材を外部へ送出するための信号出力系に挿入された第１の映像レベル可変部及び前記放送素材をモニタするためのモニタ系に挿入された第２の映像レベル可変部を備えた、前記放送素材を収録し、送出するビデオオーディオサーバと、
前記ビデオオーディオサーバの前記信号出力系に接続された、前記放送素材の音声レベルを調整する第１の音声レベル可変装置と、
前記ビデオオーディオサーバの前記モニタ系に接続された、前記放送素材の音声レベルを調整する第２の音声レベル可変装置と、
前記第２の映像レベル可変部及び前記第２の音声レベル可変装置で調整された映像及び音声をモニタするための映像音声モニタと、
前記映像レベル及び前記音声レベルを変更するためのレベル変更データ並びに前記画角を変更するための画角変更データが入力される操作端末と、
前記レベル変更データ及び前記画角変更データが登録されるデータベースと、
前記データベースから読み出した前記レベル変更データ及び前記画角変更データに基づき前記第２の音声レベル可変装置から出力される信号の映像レベル、音声レベル及び画角を調整すると共に、前記データベースから読み出した、操作者によって指定された前記レベル変更データ及び前記画角変更データの値である確定値に基づき、前記第１の音声レベル可変装置から出力される信号の映像レベル、音声レベル及び画角を調整するサーバコントローラと、
を有する。
【００１２】
上記のような映像音声ファイルシステムでは、サーバコントローラにより、データベースから読み出したレベル変更データ及び画角変更データに基づきモニタ系の出力信号の映像レベル、音声レベル及び画角を調整すると共に、データベースから読み出した、操作者によって指定されたレベル変更データ及び画角変更データの値である確定値に基づき、信号出力系の出力信号の映像レベル、音声レベル及び画角を調整するため、放送素材をビデオオーディオサーバに収録した後も映像レベル、音声レベル及び画角を変更できる。
【発明の効果】
【００１３】
本発明によれば、放送素材をビデオオーディオサーバに収録した後も映像レベル、音声レベル及び画角を変更できる。また、これらの変更操作は繰り返し行うことが可能であるため、次段システムへ送出する前であれば、一旦決定した映像レベル、音声レベル及び画角を何回でも変更することが可能である。
【００１４】
そのため、放送素材が、映像レベル、音声レベルあるいは画角が不適切な状態でビデオオーディオサーバに収録されていても、修正後の映像音声信号をビデオオーディオサーバに再収録することなく、次段システムへ送出できる。また、放送素材の長さに依存せずにレベルや画角の変更が可能であり、再収録に要する時間を無くすことができる。
【発明を実施するための最良の形態】
【００１５】
次に本発明について図面を参照して説明する。
【００１６】
（第１の実施の形態）
図１は本発明の映像音声ファイルシステムの第１の実施の形態の構成を示すブロック図である。
【００１７】
図１に示すように、第１の実施の形態の映像音声ファイルシステムは、素材再生装置２０で再生された放送素材を収録し、送出するビデオオーディオサーバ１と、ビデオオーディオサーバ１が備える、放送素材を外部へ送出するための信号出力系に接続された映像レベル、音声レベル及び画角を調整する第１の映像音声レベル可変装置２と、ビデオオーディオサーバ１が備える、放送素材をモニタするためのモニタ系に接続された映像レベル、音声レベル及び画角を調整する第２の映像音声レベル可変装置３と、第２の映像音声レベル可変装置３で調整された映像及び音声をモニタするための映像音声モニタ４と、映像音声モニタ４で再生された映像や音声を基に、操作者が映像レベル及び音声レベルを変更するためのレベル変更データ並びに画角を変更するための画角変更データを入力する操作端末５と、操作端末５から入力されたレベル変更データ及び画角変更データが登録されるデータベース６と、データベース６に登録されたレベル変更データ及び画角変更データを読み込み、第１の映像音声レベル可変装置２及び第２の映像音声レベル可変装置３を制御してビデオオーディオサーバ１から出力される映像音声信号の映像レベル、音声レベル及び画角を調整するサーバコントローラ７とを有する構成である。信号出力系の第１の映像音声レベル可変装置２から出力された映像音声信号は次段システム２０へ送出される。
【００１８】
第１の映像音声レベル可変装置２及び第２の映像音声レベル可変装置３は、サーバコントローラ７の制御により映像レベル及び音声レベルを変更すると共に、放送素材の映像フォーマットによる画角を変更するためのアップコンバータ及びダウンコンバータを備えている。
【００１９】
このような構成において、素材再生装置２０は放送番組やコマーシャルフィルム等の放送素材を再生する。素材再生装置２０で再生された放送素材はビデオオーディオサーバ１に収録される。操作者は、映像音声モニタ４にてビデオオーディオサーバ１に収録された映像音声信号を確認する。そして、映像または音声のレベルが適正でない場合、操作端末５に映像レベル及び音声レベルを変更するためのレベル変更データを入力する。また、操作者は、映像音声モニタ４にてビデオオーディオサーバ１に収録された映像の画角を確認し、画角が適正でない場合は操作端末５に画角を変えるための画角変更データを入力する。
【００２０】
データベース６には操作端末５から入力されたレベル変更データ及び画角変更データが仮登録される。サーバコントローラ７はデータベース６に仮登録されたレベル変更データにしたがってモニタ系の第２の映像音声レベル可変装置３を制御し、映像音声モニタ４にて再生している映像音声信号の映像レベル及び音声のレベルを変更する。また、サーバコントローラ７はデータベース６に仮登録された画角変更データにしたがってモニタ系の第２の映像音声レベル可変装置３を制御し、映像音声モニタ４にて再生している映像信号の画角を変更する。
【００２１】
レベル変更によって映像及び音声が適正なレベルになった場合、操作者は操作端末５にて確定処理を行う。同様に、画角変更によって映像が適正な画角になった場合、操作者は操作端末５にて確定処理を行う。確定処理は、データベース６に仮登録されたレベル変更データや画角変更データを、操作者が指定する確定値として登録する処理である。ここでは、本登録されたレベル変更データを適正映像音声レベル値と称し、本登録された画角変更データを適正画角値と称する。
【００２２】
ビデオオーディオサーバ１から次段システム３０へ映像音声信号を送出する場合、サーバコントローラ７はデータベース６に登録された適正映像音声レベル値及び適正画角値を読み込み、それらの値に基づきビデオオーディオサーバ１の信号出力系に接続された第１の映像音声レベル可変装置２を制御する。ビデオオーディオサーバ１から送出された映像音声信号は、第１の映像音声レベル可変装置２により適正な映像レベル、音声レベル及び適正な画角に調整され、次段システム３０へ送出される。
【００２３】
本発明によれば、放送素材をビデオオーディオサーバ１に収録した後も、その映像レベル、音声レベル及び画角を変更できる。また、これらの変更操作は繰り返し行うことが可能であるため、次段システム３０へ送出する前であれば、一旦決定した映像レベル、音声レベル及び画角を何回でも変更することが可能である。
【００２４】
そのため、放送素材が不適切な映像レベル、音声レベルあるいは画角でビデオオーディオサーバ１に収録されていても、修正後の映像音声信号をビデオオーディオサーバ１に再収録することなく、次段システム３０へ送出できる。また、放送素材の長さに依存せずにレベルや画角の変更が可能であり、再収録に要する時間を無くすことができる。
（第２の実施の形態）
第２の実施の形態の映像音声ファイルシステムは、第１の実施の形態で示した第１の映像音声レベル可変装置及び第２の映像音声レベル可変装置が備える機能のうち、音声レベルを調整する機能をビデオオーディオサーバ内に備えた例である。
【００２５】
図２は本発明の映像音声ファイルシステムの第２の実施の形態の構成を示すブロック図である。
【００２６】
図２に示すように、第２の実施の形態の映像音声ファイルシステムは、ビデオオーディオサーバ１０に、音声レベルを調整する、信号出力系に挿入された第１の音声レベル可変部８及びモニタ系に挿入された第２の音声レベル可変部９を備えた構成である。ビデオオーディオサーバ１０の信号出力系には映像レベルを調整する第１の映像レベル可変装置１１が接続され、ビデオオーディオサーバ１０のモニタ系には映像レベルを調整する第２の映像レベル可変装置１２が接続されている。
【００２７】
また、図２に示す第１の映像レベル可変装置１１及び第２の映像レベル可変装置１２は、第１の実施の形態と同様に映像の画角を調整するための機能を備えている。その他の構成は図１に示した第１の実施の形態と同様であるため、その説明は省略する。
【００２８】
第２の実施の形態の映像音声ファイルシステムおいても、第１の実施の形態の映像音声ファイルシステムと同様に、放送素材をビデオオーディオサーバ１０に収録した後も、その映像レベル、音声レベル及び画角を変更できる。また、これらの変更操作は繰り返し行うことが可能であるため、次段システムへ送出する前であれば、一旦決定した映像レベル、音声レベル及び画角を何回でも変更することが可能である。
【００２９】
そのため、放送素材が不適切な映像レベル、音声レベルあるいは画角でビデオオーディオサーバ１０に収録されていても、修正後の映像音声信号をビデオオーディオサーバ１０に再収録することなく、次段システムへ送出できる。また、放送素材の長さに依存せずにレベルや画角の変更が可能であり、再収録に要する時間を無くすことができる。
【００３０】
また、第２の実施の形態の映像音声ファイルシステムでは、例えば顧客が映像信号のレベル調整や画角調整を不要としている場合は、図２に示す第１の映像レベル可変装置１１及び第２の映像レベル可変装置１２を除くだけで済むため、顧客に対して安価な映像音声ファイルシステムを容易に提供できる。
【００３１】
なお、図２では、ビデオオーディオサーバ１０内に２つの音声レベル可変部を備え、ビデオオーディオサーバ１０から独立した２つの映像レベル可変装置を備えた例を示しているが、ビデオオーディオサーバ１０内に、映像レベルを調整する、信号出力系に挿入された第１の映像レベル可変部及びモニタ系に挿入された第２の映像レベル可変部を備え、ビデオオーディオサーバ１０の信号出力系に音声レベルを調整する第１の音声レベル可変装置が接続され、ビデオオーディオサーバ１０のモニタ系に音声レベルを調整する第２の音声レベル可変装置が接続された構成であってもよい。その場合、ビデオオーディオサーバ１０が備える第１の映像レベル可変部及び第２の映像レベル可変部に、第１の実施の形態と同様に映像の画角を調整するための機能を備えていればよい。このような構成でも上記と同様の効果を得ることができる。
【図面の簡単な説明】
【００３２】
【図１】本発明の映像音声ファイルシステムの第１の実施の形態の構成を示すブロック図である。
【図２】本発明の映像音声ファイルシステムの第２の実施の形態の構成を示すブロック図である。
【符号の説明】
【００３３】
１、１０    ビデオオーディオサーバ
２    第１の映像音声レベル可変装置
３    第２の映像音声レベル可変装置
４    映像、音声モニタ
５    操作端末
６    データベース
７    サーバコントローラ
８    第１の音声レベル可変部
９    第２の音声レベル可変部
１１    第１の映像レベル可変装置
１２    第２の映像レベル可変装置
２０    素材再生装置
３０    次段システム
【図１】
0004683227.tif 000002
【図２】
0004683227.tif 000003